【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
被加工物を着脱自在に保持する保持部と、
前記保持部で保持した被加工物に近接自在な加工電極と、
前記保持部で保持した被加工物に給電する給電電極と、
被加工物と前記加工電極または前記給電電極の少なくとも一方との間に流体を供給する流体供給部と、
前記加工電極と前記給電電極との間に電圧を印加する電源と、
前記保持部で保持した被加工物と前記加工電極とを互いに対向させた状態で相対運動させる駆動部と、
前記駆動部を数値制御する数値制御部を有することを特徴とする電解加工装置。
【請求項２】
被加工物と前記加工電極との間または被加工物と前記給電電極との間の少なくとも一方にイオン交換体を配置することを特徴とする請求項１記載の電解加工装置。
【請求項３】
前記加工電極と前記給電電極との間に一定電流または一定電圧を供給することを特徴とする請求項１または２記載の電解加工装置。
【請求項４】
前記数値制御部は、前記駆動部により前記保持部で保持した被加工物と前記加工電極との相対運動速度を数値制御することを特徴とする請求項１乃至３のいずれかに記載の電解加工装置。
【請求項５】
前記数値制御部は、前記駆動部により前記保持部で保持した被加工物と前記加工電極との相対的なステップ走査における停止時間を数値制御することを特徴とする請求項１乃至３のいずれかに記載の電解加工装置。
【請求項６】
保持部で保持した被加工物に給電電極により給電しながら加工電極を近接させ、
被加工物と前記加工電極または前記給電電極の少なくとも一方との間に流体を供給し、
前記加工電極と前記給電電極との間に電圧を印加しつつ、
前記保持部で保持した被加工物と前記加工電極とを互いに対向させた状態で数値制御部で数値制御しつつ相対運動させることを特徴とする電解加工方法。
【請求項７】
被加工物と前記加工電極との間または被加工物と前記給電電極との間の少なくとも一方にはイオン交換体が配置されていることを特徴とする請求項６記載の電解加工方法。
【請求項８】
前記加工電極と前記給電電極との間に一定電流または一定電圧を供給することを特徴とする請求項６または７記載の電解加工方法。
【請求項９】
加工開始前または加工進行中における少なくとも一方の被加工物の形状を計測し、
その計測形状と目的加工形状の座標データを前記数値制御部に入力し、
両形状の座標差に応じて前記保持部で保持した被加工物と前記加工電極との相対運動速度を数値制御することを特徴とする請求項６乃至８のいずれかに記載の電解加工方法。
【請求項１０】
加工開始前または加工進行中における少なくとも一方の被加工物の形状を計測し、
その計測形状と目的加工形状の座標データを前記数値制御部に入力し、
両形状の座標差に応じて前記保持部で保持した被加工物と前記加工電極との相対的なステップ走査における停止時間を数値制御することを特徴とする請求項６乃至８のいずれかに記載の電解加工方法。
【手続補正２】
【補正対象書類名】明細書
【補正対象項目名】００１１
【補正方法】変更
【補正の内容】
【００１１】
【課題を解決するための手段】
請求項１に記載の発明は、被加工物を着脱自在に保持する保持部と、前記保持部で保持した被加工物に近接自在な加工電極と、前記保持部で保持した被加工物に給電する給電電極と、被加工物と前記加工電極または前記給電電極の少なくとも一方との間に流体を供給する流体供給部と、前記加工電極と前記給電電極との間に電圧を印加する電源と、前記保持部で保持した被加工物と前記加工電極とを互いに対向させた状態で相対運動させる駆動部と、前記駆動部を数値制御する数値制御部を有することを特徴とする電解加工装置である。
【手続補正３】
【補正対象書類名】明細書
【補正対象項目名】００１３
【補正方法】変更
【補正の内容】
【００１３】
請求項２に記載の発明は、被加工物と前記加工電極との間または被加工物と前記給電電極との間の少なくとも一方にイオン交換体を配置することを特徴とする請求項１記載の電解加工装置である。
請求項３に記載の発明は、前記加工電極と前記給電電極との間に一定電流または一定電圧を供給することを特徴とする請求項１または２記載の電解加工装置である。
電解加工にあっては、加工電極と給電電極の間に供給する電流を一定に制御すると、加工レートも一定となり、電流と加工時間の積によって加工量が決まる。従って、例えば加工電極と給電電極の間に供給する電流を一定に制御した場合にあっては、被加工物と加工電極とが対向して電解加工現象が生じる時間（滞留時間）、つまり加工時間のみを数値制御することで、形状精度の高い目的形状を作成することができるようになる。
【手続補正４】
【補正対象書類名】明細書
【補正対象項目名】００１４
【補正方法】変更
【補正の内容】
【００１４】
請求項４に記載の発明は、前記数値制御部は、前記駆動部により前記保持部で保持した被加工物と前記加工電極との相対運動速度を数値制御することを特徴とする請求項１乃至３のいずれかに記載の電解加工装置である。
これにより、保持部で保持した被加工物と加工電極とを互いに対向させつつ、連続的に相対運動させて電解加工を行う場合に、この連続的に変化する相対運動速度を数値制御することで、加工面のある点を最適な加工時間（滞留時間）で加工することができる。
【手続補正５】
【補正対象書類名】明細書
【補正対象項目名】００１５
【補正方法】変更
【補正の内容】
【００１５】
請求項５に記載の発明は、前記数値制御部は、前記駆動部により前記保持部で保持した被加工物と前記加工電極との相対的なステップ走査における停止時間を数値制御することを特徴とする請求項１乃至３のいずれかに記載の電解加工装置である。
これにより、保持部で保持した被加工物と加工電極とを互いに対向させつつ、ステップ状に相対運動させて電解加工を行う場合に、ステップ走査における停止時間を数値制御することで、加工面のある点を最適な加工時間（滞留時間）で加工することができる。
ここで、「相対的なステップ走査」とは、被加工物と加工電極のいずれか、もしくは両方が移動して相対運動することにより、被加工物上を加工電極がある時間移転し停止を繰り返す動きを意味する。
【手続補正６】
【補正対象書類名】明細書
【補正対象項目名】００１６
【補正方法】変更
【補正の内容】
【００１６】
請求項６に記載の発明は、保持部で保持した被加工物に給電電極により給電しながら加工電極を近接させ、被加工物と前記加工電極または前記給電電極の少なくとも一方との間に流体を供給し、前記加工電極と前記給電電極との間に電圧を印加しつつ、前記保持部で保持した被加工物と前記加工電極とを互いに対向させた状態で数値制御部で数値制御しつつ相対運動させることを特徴とする電解加工方法である。
請求項７に記載の発明は、被加工物と前記加工電極との間または被加工物と前記給電電極との間の少なくとも一方にはイオン交換体が配置されていることを特徴とする請求項６記載の電解加工方法である。
【手続補正７】
【補正対象書類名】明細書
【補正対象項目名】００１７
【補正方法】変更
【補正の内容】
【００１７】
請求項８に記載の発明は、前記加工電極と前記給電電極との間に一定電流または一定電圧を供給することを特徴とする請求項６または７記載の電解加工方法である。
請求項９に記載の発明は、加工開始前または加工進行中における少なくとも一方の被加工物の形状を計測し、その計測形状と目的加工形状の座標データを前記数値制御部に入力し、両形状の座標差に応じて前記保持部で保持した被加工物と前記加工電極との相対運動速度を数値制御することを特徴とする請求項６乃至８のいずれかに記載の電解加工方法である。
【手続補正８】
【補正対象書類名】明細書
【補正対象項目名】００１８
【補正方法】変更
【補正の内容】
【００１８】
請求項１０に記載の発明は、加工開始前または加工進行中における少なくとも一方の被加工物の形状を計測し、その計測形状と目的加工形状の座標データを前記数値制御部に入力し、両形状の座標差に応じて前記保持部で保持した被加工物と前記加工電極との相対的なステップ走査における停止時間を数値制御することを特徴とする請求項６乃至８のいずれかに記載の電解加工方法である。